(57)【要約】【課題】部品点数の増大が抑制されコストの増大も抑制しつつスラストカバーの脱落が抑制された駆動装置及びそれを備えた送風装置を提供することを課題とする。【解決手段】開口を有した地板と、回転軸、前記回転軸を回転可能に支持し前記開口を囲うように前記地板に固定された円筒状のハウジング、前記ハウジングの内周面に圧入され前記回転軸を回転可能に支持した軸受、前記回転軸の一端を支持して前記ハウジングの内周面に接着剤により固定されたスラストカバー、を含むモータと、を備えた駆動装置。【選択図】図４
2017077117.tif 000002
【特許請求の範囲】
【請求項１】
開口を有した地板と、
回転軸、前記回転軸を回転可能に支持し前記開口を囲うように前記地板に固定された円筒状のハウジング、前記ハウジングの内周面に圧入され前記回転軸を回転可能に支持した軸受、前記回転軸の一端を支持して前記ハウジングの内周面に接着剤により固定されたスラストカバー、を含むモータと、を備え、
前記開口の内縁は、当該開口の径方向外側に向けて窪んだ第１凹部、当該開口の径方向内側に向けて突出した第１凸部、を有し、
前記スラストカバーの外縁は、当該スラストカバーの径方向内側に向けて窪んだ第２凹部、当該スラストカバーの径方向外側に向けて突出した第２凸部、を有し、
前記第１及び第２凸部は、前記回転軸の軸方向から見て少なくとも一部は重なっており、
前記第２凹部と前記ハウジングの内周面との間は、前記回転軸の径方向に第１隙間があり、
前記第１及び第２凸部の間には、前記回転軸の軸方向に第２隙間があり、
前記接着剤は、前記第１及び第２隙間に充填されている、駆動装置。
【請求項２】
前記スラストカバーが前記ハウジングに前記接着剤により固定される前の状態において、前記第１凹部及び第１凸部がそれぞれ前記第２凸部及び第２凹部に対向した状態で、前記スラストカバーは前記開口への通過が許容される、請求項１の駆動装置。
【請求項３】
請求項１又は２の前記駆動装置と、
前記回転軸と共に回転するファンと、
前記ファンの回転により空気が流通する第１及び第２開口を含み、前記ファンを収納し、前記駆動装置が組み付けられ、スクロール状に形成されたケースと、を備えた送風装置。
【発明の詳細な説明】
【技術分野】
【０００１】
本発明は、駆動装置及び送風装置に関する。
【背景技術】
【０００２】
特許文献１には、軸受が圧入されたハウジングにスラストカバーがねじにより固定されているアウターロータ型モータが開示されている。
【先行技術文献】
【特許文献】
【０００３】
【特許文献１】特許第４８５７２４５号
【発明の概要】
【発明が解決しようとする課題】
【０００４】
しかしながら、ねじを用いることにより、部品点数が増大し製造コストも増大する可能性がある。また、ねじを用いずに接着剤により両者を固定することも考えられるが、接着剤では接合力が不十分となり、ハウジングからスラストカバーが脱落する可能性がある。
【０００５】
そこで本発明は、部品点数の増大が抑制されコストの増大も抑制しつつスラストカバーの脱落が抑制された駆動装置及びそれを備えた送風装置を提供することを目的とする。
【課題を解決するための手段】
【０００６】
上記目的は、開口を有した地板と、回転軸、前記回転軸を回転可能に支持し前記開口を囲うように前記地板に固定された円筒状のハウジング、前記ハウジングの内周面に圧入され前記回転軸を回転可能に支持した軸受、前記回転軸の一端を支持して前記ハウジングの内周面に接着剤により固定されたスラストカバー、を含むモータと、を備え、前記開口の内縁は、当該開口の径方向外側に向けて窪んだ第１凹部、当該開口の径方向内側に向けて突出した第１凸部、を有し、前記スラストカバーの外縁は、当該スラストカバーの径方向内側に向けて窪んだ第２凹部、当該スラストカバーの径方向外側に向けて突出した第２凸部、を有し、前記第１及び第２凸部は、前記回転軸の軸方向から見て少なくとも一部は重なっており、前記第２凹部と前記ハウジングの内周面との間は、前記回転軸の径方向に第１隙間があり、前記第１及び第２凸部の間には、前記回転軸の軸方向に第２隙間があり、前記接着剤は、前記第１及び第２隙間に充填されている、駆動装置によって達成できる。
【０００７】
また、上記目的は、上記の駆動装置と、前記回転軸と共に回転するファンと、前記ファンの回転により空気が流通する第１及び第２開口を含み、前記ファンを収納し、前記駆動装置が組み付けられ、スクロール状に形成されたケースと、を備えた送風装置によっても達成できる。
【発明の効果】
【０００８】
本発明によれば、部品点数の増大が抑制されコストの増大も抑制しつつスラストカバーの脱落が抑制された駆動装置及びそれを備えた送風装置を提供できる。
【図面の簡単な説明】
【０００９】
【図１】図１は、本実施例の送風装置の外観図である。
【図２】図２は、本実施例の送風装置の断面図である。
【図３】図３は、図２の部分拡大図である。
【図４】図４（Ａ）は、スラストカバーを下方側から見た図であり、図４（Ｂ）は、ハウジングを下方側から見た図であり、図４（Ｃ）は、ハウジング内にスラストカバーを配置した場合の図である。
【図５】図５は、地板を下方側から見た図である。
【図６】図６（Ａ）及び図６（Ｂ）は、スラストカバーの固定方法の説明図である。
【図７】図７は、インナーロータ型のモータを採用した場合の送風装置の部分断面図である。
【発明を実施するための形態】
【００１０】
図１は、本実施例の送風装置Ａの外観図である。図２は、送風装置Ａの断面図である。送風装置Ａは、上ケース１０、下ケース２０、ファン８０等を含む。上ケース１０、下ケース２０は、互いにファン８０の軸方向から組み付けられ固定されている。上ケース１０、下ケース２０は、協働で単一のスクロール状のケースを画定する。上ケース１０、下ケース２０は、合成樹脂製である。上ケース１０は、周壁部１２、上壁部１４、突出壁部１８を含む。周壁部１２は、ファン８０の外周部を包囲し、略円筒形状である。上壁部１４は、周壁部１２に連続しファン８０よりも軸方向上側に位置する。上壁部１４には、ファン８０の軸方向上側に位置する。尚、軸方向とは、ファン８０の回転の中心軸の方向を意味する。上壁部１４には、ファン８０の回転により空気が通過する開口１５ａが形成されている。開口１５ａからはファン８０の上部が露出している。上壁部１４には、開口１５ａから露出したファン８０を保護するための３つの桟部１６が、開口１５ａの中心から径方向外側に延びるように設けられている。突出壁部１８は、周壁部１２及び上壁部１４から部分的に径方向外側に延びている。
【００１１】
下ケース２０は、周壁部２２、底壁部２４、突出壁部２８を含む。周壁部２２は、ファン８０の外周部を包囲し、略円筒形状である。周壁部１２、２２は、互いに固定されている。底壁部２４は、周壁部２２に連続してファン８０よりも軸方向下側に位置する。底壁部２４の略中心には、開口２５が形成されている。開口２５は、地板１００により塞がれている。地板１００の略中心には、開口１０１が形成されている。開口１０１は、ハウジング６０及びスラストカバー１１０により塞がれている。地板１００は、ファン８０、ファン８０を回転させるモータＭを支持している。底壁部２４からは、モータＭに導通したケーブルＣＢが引き出されている。即ち、上ケース１０、下ケース２０内に、ファン８０、モータＭが収納されている。突出壁部２８は、周壁部２２及び底壁部２４から部分的に径方向外側に延びている。突出壁部１８、２８は互いに固定されている。突出壁部１８、２８には、単一の開口１５ｂを画定する。
【００１２】
ファン８０が回転することにより、開口１５ａ、１５ｂの一方から空気が吸引され、上ケース１０、下ケース２０内を空気が周り開口１５ａ、１５ｂの他方から排出される。このようにして、ファン８０が回転することにより開口１５ａ、１５ｂを空気が通過する。
【００１３】
送風装置Ａは、例えば、ハイブリット車両に搭載されたバッテリを冷却するために用いられる。このバッテリはハイブリット車両のエンジンによって駆動される発電機によって生成された電力を蓄えるために使用される。尚、送風装置Ａはこのような用途に限定されない。また、ファン８０が回転することにより、開口１５ａから空気が吸引され開口１５ｂから空気が排出されるが、これに限定されない。開口１５ｂから空気を吸引し開口１５ａから排出するように使用してもよい。
【００１４】
ファン８０は、ドーム部８４、フランジ部８６、羽根部８８、リング部８９を含む。ファン８０は、合成樹脂製である。ドーム部８４は、径方向外側に延び、径方向外側に延びるにつれて下側に延びている。ドーム部８４は、断面視で階段状に形成されている。
【００１５】
フランジ部８６は、ドーム部８４の下端部から径方向外側に延びている。フランジ部８６は、径方向外側に延びるに従って若干軸方向下側に傾斜している。羽根部８８は、フランジ部８６の外周端部から略円筒状に延びて形成され、複数の羽根から構成されている。隣接する羽根の間に空気が通過するように所定の間隔を空けて、複数の羽根が円状に設けられている。羽根は軸方向に延びている。上ケース１０の周壁部１２、下ケース２０の周壁部２２は羽根部８８の外周に位置する。リング部８９は、羽根部８８の上側の外周側に設けられており各羽根の上端部が接続されている。ファン８０が回転することにより、開口１５ａを介して羽根部８８を通過して上ケース１０、下ケース２０内に空気が導入され、周壁部１２、２２の内側に沿って空気が流れ、開口１５ｂから排出される。
【００１６】
モータＭについて説明する。モータＭは、コイル３０、ロータ４０、ステータ５０、ハウジング６０、プリント基板ＰＢ、スラストカバー１１０等を有している。ステータ５０は略環状であり金属製である。ステータ５０は、ハウジング６０の外周面に固定されている。ハウジング６０は、地板１００の内底面に固定されている。ハウジング６０内には、回転軸４２を回転可能に保持する軸受７０が圧入されている。軸受７０は、径方向よりも軸方向の長さが長く形成されている。
【００１７】
ステータ５０には、インシュレータＩを介して複数のコイル３０が巻回されている。コイル３０は、プリント基板ＰＢと電気的に接続されている。プリント基板ＰＢは、剛性を有した絶縁性の基板上に導電パターンが形成されたものである。プリント基板ＰＢは、地板１００の内面側に固定されて支持され、ハウジング６０が貫通した開口ＰＢ１が形成されている。プリント基板ＰＢには、コイル３０に電力を供給するための電子部品が実装されている。電子部品は、例えばコイル３０の通電状態を制御するためのＦＥＴ等の出力トランジスタ（スイッチング素子）やコンデンサ等である。また、電子部品は、例えばロータ４０の回転によって出力が変化する磁気センサであってもよい。プリント基板ＰＢには、ケーブルＣＢが導通接続されている。コイル３０が通電されることにより、ステータ５０が励磁される。
【００１８】
ロータ４０は、回転軸４２、ヨーク４４、１つまたは複数の永久磁石４６、を有している。回転軸４２は、軸受７０により回転可能に支持されている。回転軸４２の下方側の先端部は、スラスト受けＳを介してスラストカバー１１０により支持されている。回転軸４２の、軸受７０から下方に突出した先端部には、ダンパーワッシャーＤＷが取り付けられている。ダンパーワッシャーＤＷと軸受７０の下端部との間には、回転軸４２が貫通した状態でワッシャーＷが取り付けられている。回転軸４２の、ハウジング６０から上方に突出した先端部には、ヨーク４４が固定されており、ヨーク４４は回転軸４２と共に回転する。ヨーク４４は、略円筒状であり金属製である。ヨーク４４の上側にファン８０が固定されている。ヨーク４４の内周側面には、１つまたは複数の永久磁石４６が固定されている。永久磁石４６は、ステータ５０の外周面と対向している。コイル３０が通電されることにより、ステータ５０が励磁される。従って、永久磁石４６とステータ５０との間に磁気的吸引力、反発力が作用する。この磁力の作用により、ヨーク４４、即ち、ロータ４０はステータ５０に対して回転する。このように、モータＭはロータ４０が回転するアウターロータ型のモータである。ロータ４０が回転することにより、ファン８０が回転する。
【００１９】
図３は、図２の部分拡大図である。軸受７０は、内周面７０ａ及び外周面７０ｂを有し、内周面７０ａ側に回転軸４２が配置され、外周面７０ｂ側にハウジング６０が配置されている。詳しくは後述するが、軸受７０の内周面７０ａの一部分は、回転軸４２の外周面に摺接する。軸受７０は、上方側から下方側に、テーパ部７１及び基部７３が形成されている。テーパ部７１は、基部７３よりも外径が小さく、上方側に向かってその外径が小さくなるように形成されている。基部７３の外径は略一定である。テーパ部７１及び基部７３の内径については詳しくは後述する。尚、上方側とは、上ケース１０の空気が通過する開口１５ａが形成された側である。下方側とは、空気を通過させるための開口は形成されていない地板１００側である。
【００２０】
ハウジング６０は、内周面６０ａ及び外周面６０ｂを有し、内周面６０ａ側に軸受７０が配置され、外周面６０ｂ側にステータ５０等が配置されている。ハウジング６０は、上方側から下方側に、頂部６１、上段筒部６３、小段部６５、中段段部６６、下段筒部６７、下段段部６８、及び脚部６９が形成されている。ハウジング６０は、一枚の金属板を絞り加工することにより、上方側から下方側に径が拡大した略円筒状に成形されている。
【００２１】
頂部６１は、軸方向に垂直な円板状であり、回転軸４２が貫通する開口６１ａが形成されている。上段筒部６３は、頂部６１の外縁側から連続した円筒状である。小段部６５は、上段筒部６３の下方側に形成されている。小段部６５は、上方側から下方側にかけて、上段筒部６３よりも僅かに内径及び外径が拡大するように段状に形成されている。中段段部６６は、小段部６５の下方側近傍に形成され、上方側から下方側にかけて、小段部６５よりも内径及び外径が大きく拡大するように段状に形成されている。
【００２２】
下段筒部６７は、中段段部６６の外縁側から連続した円筒状である。下段段部６８は、下段筒部６７の下方側から径方向外側に延びて段状に形成され、下段段部６８の内面側にスラストカバー１１０が固定されている。脚部６９は、下段段部６８の外縁側から更に径方向外側に延びた円形状であり、開口１０１を囲うように地板１００の内底面に固定されている。上段筒部６３及び小段部６５の一部分は軸受７０に当接し、小段部６５の一部分はステータ５０の内周面５１に当接し、中段段部６６の一部分はステータ５０の底面５３に当接している。ステータ５０の底面５３は、地板１００側にあるステータ５０の面である。小段部６５、中段段部６６、及び下段段部６８は、軸方向を含む断面でハウジング６０を見た場合に段状に形成されている。
【００２３】
下段段部６８は、回転軸４２の軸方向に略直交した環状の内環面６８ａ、軸方向に略平行であり微小な高さの円柱状の内側面６８ａ´を含む。内環面６８ａは、スラストカバー１１０の上方側の面の外縁側に接触している。内側面６８ａ´は、スラストカバー１１０の外縁に対向している。スラストカバー１１０は、ハウジング６０の下方側の開放端を塞ぐように下段段部６８の内側に接着剤ＢＤにより固定されている。図３では、接着剤ＢＤを点線のハッチングにより示している。接着剤ＢＤは、地板１００の開口１０１を塞ぐように、スラストカバー１１０とハウジング６０と地板１００に囲まれた空間内に充填されている。このように、スラストカバー１１０とハウジング６０との固定は、ねじなどの部品を用いずに接着剤ＢＤにより固定されているため、部品点数の増大が抑制されて製造コストの増大も抑制されている。尚、スラストカバー１１０の上方側の面には、スラスト受けＳが嵌合する窪み部１１４が形成されている。また、地板１００及びモータＭは、駆動装置に相当する。
【００２４】
次に、スラストカバー１１０や地板１００の開口１０１の形状について説明する。図４（Ａ）は、スラストカバー１１０を下方側から見た図である。図４（Ｂ）は、ハウジング６０を下方側から見た図である。図４（Ｃ）は、ハウジング６０内にスラストカバー１１０を配置した場合の図である。スラストカバー１１０は、略円形の板状である。スラストカバー１１０の外縁は、スラストカバー１１０の径方向内側に向けて窪んだ凹部１１０ａ、スラストカバー１１０の径方向外側に向けて突出した凸部１１０ｂ、を有している。凹部１１０ａ及び凸部１１０ｂは、それぞれ３つ形成されており、周方向に交互に形成され、略等角度間隔に形成されている。
【００２５】
凹部１１０ａ及び凸部１１０ｂは、下段段部６８の内側面６８ａ´と対向している。ここで、下段段部６８の内側面６８ａ´の内径は一定であるため、図３に示すように、凸部１１０ｂと内側面６８ａ´との径方向での隙間ＧＨｂは、凹部１１０ａと内側面６８ａ´との径方向での隙間ＧＨａよりも狭くなっている。このような隙間ＧＨａ及びＧＨｂに接着剤ＢＤが介在することにより、スラストカバー１１０はハウジング６０に固定されている。隙間ＧＨａは、第１隙間の一例である。尚、スラストカバー１１０の凹部１１０ａの半径は、下段段部６８の内環面６８ａの半径よりも大きく形成されている。これにより、スラストカバー１１０は、ハウジング６０の下方側の開放端を塞ぐことができ、ハウジング６０内への異物の進入などが防止されている。凹部１１０ａ及び凸部１１０ｂは、それぞれ第２凹部及び第２凸部の一例である。
【００２６】
図５は、地板１００を下方側から見た図である。開口１０１は略円形状であるが、開口１０１の内縁は、開口１０１の径方向外側に向けて窪んだ凹部１０１ｂ、開口１０１の径方向内側に向けて突出した凸部１０１ａ、を有している。凸部１０１ａ及び凹部１０１ｂは、それぞれ３つ形成されており、周方向に交互に形成され、略等角度間隔毎に形成されている。凹部１０１ｂ及び凸部１０１ａは、それぞれ第１凹部及び第１凸部の一例である。
【００２７】
次に、地板１００に固定されたハウジング６０へのスラストカバー１１０の固定方法について説明する。図６（Ａ）及び図６（Ｂ）は、スラストカバー１１０の固定方法の説明図である。ハウジング６０は、軸受７０が圧入された状態で地板１００に固定されている。この状態で、図６（Ａ）に示すように、開口１０１内にスラストカバー１１０を挿入する。ここで、スラストカバー１１０の外縁と開口１０１の内縁とは、相補形状に形成されている。即ち、凹部１１０ａ及び凸部１１０ｂのそれぞれは凸部１０１ａ及び凹部１０１ｂのそれぞれと、数や大きさ、形状と略一致している。詳細には、凹部１１０ａ及び凸部１０１ａの径及び周方向の長さは略一致し、凸部１１０ｂ及び凹部１０１ｂの径及び周方向の長さも略一致している。また、凹部１１０ａ、凸部１１０ｂ、凸部１０１ａ、及び凹部１０１ｂの周方向の長さも略一致している。従って、凹部１１０ａ及凸部１０１ａが互いに対向し凸部１１０ｂ及び凹部１０１ｂが互いに対向した状態で、開口１０１へのスラストカバー１１０の通過が許容される。これにより、スラストカバー１１０は地板１００の内底面とハウジング６０の内周面６０ａとの間に配置できる。
【００２８】
次に、図６（Ｂ）に示すように、回転軸４２の軸方向から見て、凹部１０１ｂと凹部１１０ａとが対向し凸部１０１ａに凸部１１０ｂが重なるように、開口１０１に対してスラストカバー１１０を回転させる。凸部１０１ａに凸部１１０ｂが重なることにより、開口１０１へのスラストカバー１１０の通過は規制される。従って、地板１００とハウジング６０との間の空間から開口１０１を介して外部にスラストカバー１１０が脱落することが規制される。このように、スラストカバー１１０の回転位置に応じて、開口１０１への通過が許容又は規制される。軸方向から見て凸部１０１ａに凸部１１０ｂが重なっておりスラストカバー１１０を内環面６８ａに接触させた状態で、開口１０１を介して地板１００とハウジング６０とスラストカバー１１０とによって囲まれた空間内に、接着剤ＢＤを注入する。これにより、スラストカバー１１０はハウジング６０に固定される。
【００２９】
ここで、軸方向から見て互いに重なった凸部１０１ａと凸部１１０ｂとの軸方向での隙間ＧＡにも、図３に示すように接着剤ＢＤが充填される。このため、接着剤ＢＤの硬化後は、スラストカバー１１０の軸方向の移動が規制されるように固定される。隙間ＧＡは、第２隙間の一例である。また、上述したように凹部１１０ａと内側面６８ａ´との隙間ＧＨａにも接着剤ＢＤが充填され、この隙間ＧＨａに充填された接着剤ＢＤは、凹部１１０ａと内側面６８ａ´と内環面６８ａとに固定される。これにより、接着剤ＢＤの硬化後はスラストカバー１１０の回転や軸方向に直交する方向での移動が規制されるように固定される。以上のように接着剤ＢＤは、スラストカバー１１０とハウジング６０と地板１００との３つの部材に付着して硬化している。従って、接着剤ＢＤがこれらの部材から剥離することが抑制され、ハウジング６０からのスラストカバー１１０の脱落が抑制される。尚、本実施例では、凸部１１０ｂと内側面６８ａ´との間の狭い隙間ＧＨｂにも接着剤ＢＤが充填されているが、この隙間ＧＨｂに充填されていなくても、隙間ＧＨａに充填されていれば、スラストカバー１１０の回転を規制できる。
【００３０】
また、上述したようにスラストカバー１１０を接着剤により固定する前の状態では、凹部１１０ａ及び凸部１１０ｂのそれぞれを凸部１０１ａ及び凹部１０１ｂに対応させた状態で、スラストカバー１１０は開口１０１への通過が許容され、地板１００とハウジング６０との間にスラストカバー１１０を配置できる。このように、スラストカバー１１０の組み付けも容易である。
【００３１】
なお、本実施例では接着剤はHenkel社の熱可塑性ポリアミド樹脂のMacromelt（商標登録）OM673を用いた。本接着剤は硬化後であれば、送風装置Ａが想定される使用条件下であれば上記のようにスラストカバー１１０、ハウジング６０および地板１００の相互の位置関係を固定化し、スラストカバー１１０の脱落を防止することができる。また、工具などを用いれば人力で容易に取り去ることも可能である。そのため、モータＭに不良が生じた際の解析のための分解や、リサイクルや破棄する際のモータＭの解体作業が容易であるという利点もある。また、可撓性（微弾性）を備えているため、ファンの回転などにより微振動が発生する送風装置に用いるとスラストカバー１１０の脱落をより抑制し、かつ振動と騒音を防ぐことが出来るため好適である。
【００３２】
上記実施例では、アウターロータ型のモータＭを用いた送風装置Ａについて説明したが、このような送風装置に採用されるモータは、インナーロータ型であってもよい。次に、インナーロータ型のモータＭ１を採用した場合の送風装置Ｂについて説明する。図７は、インナーロータ型のモータＭ１を採用した場合の送風装置Ｂの部分断面図である。図７は、図３に対応した図面である。尚、同一の部分については、同一の符号を付することにより重複する説明を省略する。
【００３３】
モータＭ１は、コイル３０、ロータ４０´、ステータ５０´、ハウジング６０´、プリント基板ＰＢ、スラストカバー１１０等を有している。ステータ５０´の中心には、ロータ４０´のヨーク４４´が配置されている。ヨーク４４´の外周面には少なくとも一つ以上の永久磁石４６が固定されており、ステータ５０´の内周側と対向している。ヨーク４４´は、回転軸４２に固定されており、回転軸４２は、軸受７０´により回転可能に支持されている。軸受７０´の下方側の部分が径方向に突出しており、この径方向に突出した部分がハウジング６０´の内周面に嵌合して保持されている。ハウジング６０´は、地板１００に固定されており、ヨーク４４´との接触を回避するように上述したハウジング６０よりも軸方向の長さが短く形成されている。ステータ５０´は、板金１２０の内周面側に固定されており、板金１２０は、不図示の部分で地板１００に固定されている。
【００３４】
インナーロータ型のモータＭ１においても、スラストカバー１１０とハウジング６０´と地板１００とは、接着剤ＢＤにより固定されており、接着剤ＢＤは、隙間ＧＨａ、ＧＨｂ、及びＧＡに充填されている。これにより、接着剤ＢＤがこれらの部材から剥離することが抑制され、ハウジング６０´からのスラストカバー１１０の脱落が抑制される。
【００３５】
以上本発明の好ましい実施形態について詳述したが、本発明は係る特定の実施形態に限定されるものではなく、特許請求の範囲に記載された本発明の要旨の範囲内において、変形・変更が可能である。
【００３６】
上記実施例においては、モータＭ及びＭ１をそれぞれ含む駆動装置は、それぞれ送風装置Ａ及びＢに用いたがこれに限定されない。例えば、駆動装置は、電化製品、乗物、遊戯機器、工作機器、繊維機器、印刷機械等に用いることができる。また、駆動装置が用いられる装置は、業務用、家庭用を問わない。
【００３７】
凹部１１０ａ及び１０１ｂや凸部１１０ｂ及び１０１ａの形状、数、大きさについては、上記実施例に限定されない。また、スラストカバー１１０の外縁と開口１０１の内縁との形状は、相補形状に限定されない。例えば、両者は相補形状ではなく、凹部１０１ｂは凸部１１０ｂよりも径が大きくてもよい。凸部１０１ａは凹部１１０ａよりも径が大きくてもよい。凹部１０１ｂは凸部１１０ｂよりも周方向に長くてもよい。凸部１０１ａは、凹部１１０ａよりも周方向の長さが短くてもよい。この場合も、スラストカバー１１０を開口１０１に通過させることができるからである。また、スラストカバー１１０の回転位置に応じて、軸方向から見て凸部１０１ａと凸部１１０ｂとが重なりスラストカバー１１０の開口１０１への通過を規制できればよい。
【符号の説明】
【００３８】
Ａ  送風装置
Ｍ  モータ
１０  上ケース
１５ａ、１５ｂ  開口
２０  下ケース
３０  コイル
４０  ロータ
４２  回転軸
４６  永久磁石
５０  ステータ
６０  ハウジング
６０ａ  内周面
６０ｂ  外周面
６５  小段部（段部）
７０  軸受
７０ａ  内周面
７０ｂ  外周面
８０  ファン
１００  地板
１０１  開口
１１０  スラストカバー
ＧＨａ  隙間（第１隙間）
ＧＡ  隙間（第２隙間）
【図１】
2017077117.tif 000003
【図２】
2017077117.tif 000004
【図３】
2017077117.tif 000005
【図４】
2017077117.tif 000006
【図５】
2017077117.tif 000007
【図６】
2017077117.tif 000008
【図７】
2017077117.tif 000009